(57)【特許請求の範囲】
【請求項１】
遊技を制御するための遊技制御手段と、
演出装置を制御するための演出制御手段とを備え、
前記遊技制御手段には、
前記演出制御手段にコマンドを送信するためのコマンド送信手段を備え、
前記演出制御手段には、
前記コマンド送信手段から送信された前記コマンドを受信するためのコマンド受信手段を備えるスロットマシンにおいて、
前記演出制御手段には、
少なくとも１台以上の他のスロットマシンの前記演出制御手段と外部通信を行うための外部通信手段と、
前記外部通信手段を介して発信する外部演出コマンドを作成するための外部演出コマンド作成手段と、
前記外部通信手段を介して受信した前記外部演出コマンドにもとづいて、前記演出装置を用いて外部演出を実行するための外部演出コマンド処理手段とを備え、
前記外部演出コマンド作成手段には、
発信元の前記外部演出コマンドを作成するための発信元コマンド作成手段と、
自機を識別するための識別コードを、前記発信元コマンド作成手段により作成された前記外部演出コマンドに付加するための識別コード管理手段とを備え、
前記外部演出コマンド作成手段により作成される前記外部演出コマンドには、発信元から外部演出を実行するスロットマシンを指定するコマンドを含み、
前記スロットマシンには、
他のスロットマシンから送信される前記外部演出コマンドを入力するための外部演出入力端子と、
前記外部演出コマンドを他のスロットマシンに出力するための外部演出出力端子とを備え、
隣接するスロットマシンの前記外部演出出力端子と前記外部演出入力端子とをチェーン状に交合に接続し、
終端に位置するスロットマシンの前記外部演出出力端子と、始端に位置するスロットマシンの前記外部演出入力端子とを接続することで複数台のスロットマシンをループ状に接続し、
前記発信元から外部演出を実行するスロットマシンを指定するコマンドは、発信元である当該コマンドを作成した前記外部演出コマンド作成手段を備える前記スロットマシンから外部演出を実行するスロットマシンまでの台数を示す数字により構成されることを特徴とするスロットマシン。
【請求項２】
前記外部演出コマンド作成手段には、
前記外部通信手段を介して受信した前記外部演出コマンドに、自機の遊技情報を付加し、次段のスロットマシンに送信する前記外部演出コマンドを作成するための次段送信コマンド作成手段を備えていることを特徴とする請求項１に記載のスロットマシン。
【請求項３】
前記発信元コマンド作成手段により作成される発信元の前記外部演出コマンドには、一般遊技より遊技者に有利な特別遊技の内部当たりを演出するための特別遊技内部中演出コマンドを含んでいることを特徴とする請求項１に記載のスロットマシン。
【請求項４】
前記発信元コマンド作成手段により作成される発信元の前記外部演出コマンドには、特定の小役の当選を演出するための小役当選演出コマンドを含んでいること特徴とする請求項１に記載のスロットマシン。
【発明の詳細な説明】
【０００１】
【発明の属する技術分野】
この発明は、スロットマシンに関し、特に複数台のスロットマシンを接続し、演出に関する情報を共有することができるようにしたものである。
【０００２】
【従来の技術】
従来のスロットマシンは、ホールのホストコンピュータに接続されている他は、スロットマシン同士は互いに接続されていなかった。
【０００３】
【発明が解決しようとする課題】
しかし、上記した従来のスロットマシンは、互いに接続されておらず、１台のスロットマシンでゲームが完結してしまい、変化に乏しいという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、複数台のスロットマシンの演出制御手段同士を接続可能とすることで、演出に関する情報を共有することができるようにしたものである。
また、請求項１に記載の発明は、外部演出コマンドを他のスロットマシンに送信して、他のスロットマシンで外部演出コマンドを実行することができるようにしたものである。
また、請求項１に記載の発明は、外部演出コマンドに発信元の識別コードを付加して送信することができるようにしたものである。
また、請求項１に記載の発明は、外部演出入力端子及び外部演出出力端子を備えたスロットマシンを提供することができるようにしたものである。
また、請求項１に記載の発明は、複数台のスロットマシンにおいて、演出に関する情報を共有可能なスロットマシンを提供することができるようにしたものである。
【０００４】
（請求項２）
請求項２に記載の発明は、上記した請求項１に記載の発明の目的に加え、次の点を目的とする。
【０００５】
すなわち、請求項２に記載の発明は、複数台のスロットマシンの遊技情報を、相互に共有することができるようにしたものである。
（請求項３）
請求項３に記載の発明は、上記した請求項１に記載の発明の目的に加え、次の点を目的とする。
【０００６】
すなわち、請求項３に記載の発明は、例えばビッグ・ボーナス、レギュラーボーナス、集中役（例えば高確率遊技）等の特別遊技の内部当たりを演出するための特別遊技内部中演出コマンドを、他のスロットマシンでも共有することができるようにしたものである。
（請求項４）
請求項４に記載の発明は、上記した請求項１に記載の発明の目的に加え、次の点を目的とする。
【０００７】
すなわち、請求項４に記載の発明は、アシスト・タイム等の特定の小役の当選を演出するための小役当選演出コマンドを、他のスロットマシンでも共有することができるようにしたものである。
【０００８】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【０００９】
また、図面番号も、発明の実施の形態において用いた図番を示し、本発明の技術的範囲を限定するものではない。
（請求項１）
請求項１に記載の発明は、次の点を特徴とする。
第一に、スロットマシン(10)には、例えば図１に示すように、遊技制御手段(100)と、演出制御手段(200)とを備える。
【００１０】
上記遊技制御手段(100)は、遊技を制御するためのものである。前記演出制御手段(200)は、演出装置(400)を制御するためのものである。
第二に、前記遊技制御手段(100)には、例えば図１に示すように、コマンド送信手段(101)を備える。上記コマンド送信手段(101)は、演出制御手段(200)にコマンドを送信するためのものである。
【００１１】
第三に、演出制御手段(200)には、例えば図１に示すように、コマンド受信手段(220)を備える。上記コマンド受信手段(220)は、コマンド送信手段(101)から送信されたコマンドを受信するためのものである。
第四には、演出制御手段(200)には、例えば図１に示すように、外部通信手段(240)と、外部演出コマンド作成手段(250)、外部演出コマンド処理手段(260)とを備える。
【００１２】
上記外部通信手段(240)は、少なくとも１台以上の他のスロットマシン(10)の演出制御手段(200)と外部通信を行うためのものである。
上記外部演出コマンド作成手段(250)は、外部通信手段(240)を介して発信する外部演出コマンドを作成するためのものである。
前記外部演出コマンド処理手段(260)は、外部通信手段(240)を介して受信した外部演出コマンドにもとづいて、演出装置(400)を用いて外部演出を実行するためのものである。
第五に、外部演出コマンド作成手段(250)には、例えば図１に示すように、発信元コマンド作成手段(251)と、識別コード管理手段(252)とを備える。
上記発信元コマンド作成手段(251)は、発信元の外部演出コマンドを作成するためのものである。
前記識別コード管理手段(252)は、自機を識別するための識別コードを、発信元コマンド作成手段(251)により作成された外部演出コマンドに付加するためのものである。
第六に、外部演出コマンド作成手段(250)により作成される外部演出コマンドには、発信元から外部演出を実行するスロットマシンを指定するコマンドを含む。
第七に、スロットマシン(10)には、例えば図１に示すように、外部演出入力端子(300)と、外部演出出力端子(500)とを備える。
上記外部演出入力端子(300)は、他のスロットマシン(10)から送信される外部演出コマンドを入力するためのものである。
前記外部演出出力端子(500)は、外部演出コマンドを他のスロットマシン(10)に出力するためのものである。
第八に、例えば図５に示すように、隣接するスロットマシン(10)の外部演出出力端子(500)と外部演出入力端子(300)とをチェーン状に交合に接続している。
第九に、例えば図５に示すように、終端（例えば８番台）に位置するスロットマシン(10)の外部演出出力端子(500)と、始端（例えば１番台）に位置するスロットマシン(10)の外部演出入力端子(300)とを接続することで複数台のスロットマシン(10)をループ状に接続している。
第十に、発信元から外部演出を実行するスロットマシンを指定するコマンドは、発信元である当該コマンドを作成した外部演出コマンド作成手段(250)を備えるスロットマシンから外部演出を実行するスロットマシンまでの台数を示す数字により構成される。
（請求項２）
請求項２に記載の発明は、上記した請求項１に記載の発明の特徴点に加え、次の点を特徴とする。
【００１３】
すなわち、外部演出コマンド作成手段(250)には、例えば図１に示すように、次段送信コマンド作成手段(253)を備える。
上記次段送信コマンド作成手段(253)は、外部通信手段(240)を介して受信した外部演出コマンドに、自機の遊技情報を付加し、次段のスロットマシン(10)に送信する外部演出コマンドを作成するためのものである。
（請求項３）
請求項３に記載の発明は、上記した請求項１に記載の発明の特徴点に加え、次の点を特徴とする。
【００１４】
すなわち、発信元コマンド作成手段(251)により作成される発信元の外部演出コマンドには、特別遊技内部中演出コマンドを含んでいる。
上記特別遊技内部中演出コマンドは、一般遊技より遊技者に有利な特別遊技の内部当たりを演出するためのものである。
（請求項４）
請求項４に記載の発明は、上記した請求項１に記載の発明の特徴点に加え、次の点を特徴とする。
【００１５】
すなわち、発信元コマンド作成手段(251)により作成される発信元の外部演出コマンドには、小役当選演出コマンドを含んでいる。
上記小役当選演出コマンドは、特定の小役の当選を演出するためのものである。
【００１６】
【発明の実施の形態】
（図面の説明）
図１〜１４は、本発明の実施の形態の一例をそれぞれ示すものである。
図１は、スロットマシンの概略ブロック図、図２はスロットマシンの概略接続図、図３は複数台のスロットマシンの接続状態を示す説明図、図４はコマンドの送信状態を示す説明図、図５は８台のスロットマシンの接続状態を示す説明図をそれぞれ示すものである。
【００１７】
図６〜１２は、８台のスロットマシンの演出ランプの表示状態をそれぞれ示す説明図をそれぞれ示すものである。
図１３〜１４は、スロットマシンの動作を説明するためのフローチャートをそれぞれ示すものである。
（スロットマシン）
図１中、10は、スロットマシンを示すものである。
【００１８】
上記スロットマシン10は、図１に示すように、大別すると、次の手段を備える。
（１）遊技制御手段100
（２）演出制御手段200
なお、スロットマシン10の手段は、上記した（１）〜（２）に限定されない。
（遊技制御手段100）
遊技制御手段100は、遊技を制御するためのものである。
【００１９】
上記遊技制御手段100は、図示しないが、ＣＰＵ（以下「メインＣＰＵ」ともいう。）を中心に構成され、ＲＯＭ、ＲＡＭ、Ｉ／Ｏ等を備えている。
そして、メインＣＰＵ、ＲＯＭ、ＲＡＭ、Ｉ／Ｏ等を含めて、メイン基板110という。
上記メインＣＰＵは、ＲＯＭに記憶されたプログラムを読み込むことで、図１に示すように、次の手段として機能する。
【００２０】
（１）コマンド送信手段101
なお、遊技制御手段100の手段は、上記した（１）に限定されない。
（遊技制御手段100の入力段）
前記遊技制御手段100の入力段には、図１に示すように、次のパーツがそれぞれ接続されている。
【００２１】
（１）スタートスイッチ120
（２）ストップスイッチ130
なお、遊技制御手段100の入力段に接続されるパーツは、上記した（１）〜（２）に限定されない。
（遊技制御手段100の出力段）
前記遊技制御手段100の出力段には、図１に示すように、次のパーツがそれぞれ接続されている。
【００２２】
（１）リールユニット140
（２）ホッパーユニット150
なお、遊技制御手段100の出力段に接続されるパーツは、上記した（１）〜（２）に限定されない。
（演出制御手段200）
演出制御手段200は、後述するが、演出装置400を制御するためのものである。
【００２３】
上記演出制御手段200は、図示しないが、ＣＰＵ（以下「サブＣＰＵ」ともいう。）を中心に構成され、ＲＯＭ、ＲＡＭ、Ｉ／Ｏ等を備えている。そして、サブＣＰＵ、ＲＯＭ、ＲＡＭ、Ｉ／Ｏ等を含めて、サブ基板210という。上記サブＣＰＵは、ＲＯＭに記憶されたプログラムを読み込むことで、図１に示すように、次の手段として機能する。
【００２４】
（１）コマンド受信手段220
（２）演出抽選手段230
（３）外部通信手段240
（４）外部演出コマンド作成手段250
（５）外部演出コマンド処理手段260
なお、演出制御手段200の手段は、上記した（１）〜（５）に限定されない。
（演出制御手段200の入力段）
前記演出制御手段200の入力段には、図１に示すように、次のパーツがそれぞれ接続されている。
【００２５】
（１）外部演出入力端子300
なお、演出制御手段200の入力段に接続されるパーツは、上記した（１）に限定されない。
（演出制御手段200の出力段）
前記演出制御手段200の出力段には、図１に示すように、次のパーツがそれぞれ接続されている。
【００２６】
（１）演出装置400
（２）外部演出出力端子500
なお、演出制御手段200の出力段に接続されるパーツは、上記した（１）〜（２）に限定されない。
（スタートスイッチ120）
スタートスイッチ120は、リールユニット140の駆動を開始させるものである。
【００２７】
具体的には、スタートスイッチ120を操作すると、リールユニット140の複数個、例えば３個のリールモータが同時に駆動され、複数個、例えば同数の３個のリールが一斉に回転を開始する。
なお、リールユニット140のリールモータやリールの数は、３個に限定されない。
（ストップスイッチ130）
ストップスイッチ130は、リールユニット140の駆動を停止させるものである。
【００２８】
具体的には、ストップスイッチ130は、複数個、例えばリールと同数の計３個有り、対応する各リールの直下にそれそれ配置されている。
なお、ストップスイッチ130の数は、３個に限定されない。
そして、一個目のストップスイッチ130を操作すると、直上に位置する回転中のリールが停止する。
同様に、二個目のストップスイッチ130を操作すると、回転中の２個目のリールが、三個目のストップスイッチ130を操作すると、回転中の３個目のリールがそれぞれ停止し、３個全てのリールが停止する。
（リールユニット140）
リールユニット140は、図示しないが、先に説明した複数個、例えば３個のリールと、同数のリールモータとを備える。
【００２９】
なお、前述したように、リールユニット140のリールやリールモータの数は、３個に限定されないほか、リールモータの数は、リールと同数でなく、１個のリールモータで複数個のリールを回転させても良い。
上記各リールには、その外周に複数種類の図柄が表示されている。
（ホッパーユニット150）
ホッパーユニット150は、リールユニット140の３個のリールに停止された図柄の組み合わせが所定の賞態様に一致した場合に、対応する所定枚数のメダルを、遊技者に払い出すものである。
【００３０】
なお、メダルを払い出す代わりに、クレジットメダルの貯留枚数を増加させても良い。
（コマンド送信手段101）
コマンド送信手段101は、演出制御手段200にコマンドを送信するためのものである。
（外部演出入力端子300）
外部演出入力端子300は、他のスロットマシン10から送信される外部演出コマンドを入力するためのものである。
（演出装置400）
演出装置400は、演出を行うためのものである。
【００３１】
上記演出装置400は、図１に示すように、次のパーツを備える。
なお、演出装置400のパーツは、次の（１）〜（３）に限定されない。
（１）画像表示装置410
画像表示装置410は、画像を表示可能なものである。具体的には、画像表示装置410には、例えば液晶を使用している。
【００３２】
なお、画像表示装置410は、液晶に限らず、ドットマトリックス等を使用しても良い。
（２）演出ランプ420
演出ランプ420は、例えばＬＥＤやランプ等から構成され、発光可能なものである。
【００３３】
なお、演出ランプ420は、ＬＥＤやランプに限定されない。
（３）スピーカ430
スピーカ430は、各種の効果音を出力するものである。
（外部演出出力端子500）
外部演出出力端子500は、外部演出コマンドを他のスロットマシン10に出力するためのものである。
（コマンド受信手段220）
コマンド受信手段220は、遊技制御手段100のコマンド送信手段101から送信されたコマンドを受信するためのものである。
（演出抽選手段230）
演出抽選手段230は、コマンド受信手段220により受信したコマンドにもとづいて、演出の抽選を行うためのものである。
演出抽選の結果にもとづいて、自らのスロットマシン10でコマンドを処理するか、他のスロットマシン10にコマンドを送信して演出を行わせるか選択している。
（外部通信手段240）
外部通信手段240は、少なくとも１台以上の他のスロットマシン10の演出制御手段200と外部通信を行うためのものである。
（外部演出コマンド作成手段250）
外部演出コマンド作成手段250は、外部通信手段240を介して発信する外部演出コマンドを作成するためのものである。
【００３４】
上記外部演出コマンド作成手段250は、図１に示すように、次の手段を備える。
（１）発信元コマンド作成手段251
（２）識別コード管理手段252
（３）次段送信コマンド作成手段253
なお、演出装置400の手段は、上記した（１）〜（３）に限定されない。
（外部演出コマンド処理手段260）
外部演出コマンド処理手段260は、外部通信手段240を介して受信した外部演出コマンドにもとづいて、演出装置400を用いて外部演出を実行するためのものである。
（発信元コマンド作成手段251）
発信元コマンド作成手段251は、発信元の外部演出コマンドを作成するためのものである。
【００３５】
上記発信元の外部演出コマンドには、次のコマンドを含んでいる。
なお、発信元の外部演出コマンドは、次の（１）〜（２）に限定されない。
（１）特別遊技内部中演出コマンド
特別遊技内部中演出コマンドは、一般遊技より遊技者に有利な特別遊技の内部当たりを演出するためのものである。
【００３６】
上記特別遊技には、例えばビッグ・ボーナス（以下「ＢＢ」ともいう。）、レギュラーボーナス（以下「ＲＢ」ともいう。）、集中役（例えば高確率遊技）等がある。
なお、特別遊技は、例えばＢＢ、ＲＢ、集中役に限定されない。
（２）小役当選演出コマンド
上記小役当選演出コマンドは、特定の小役の当選を演出するためのものである。
【００３７】
上記特定の小役の演出には、例えばアシスト・タイム（以下「ＡＴ」ともいう。）等がある。
なお、特定の小役の演出は、ＡＴに限定されない。上記ＡＴは、特定小役の当選報知の期間を意味する。
具体的には、次の表１に例示するように、複数、例えば２種類や３種類の特定小役の当選を報知する。
【００３８】
【表１】
0004863239.tif 000002
【００３９】
上記１つの特定小役は、次の表２に例示するように、他の特定小役と窓枠上に停止不可能のリール配列上に配置する。
【００４０】
【表２】
0004863239.tif 000003
【００４１】
スロットマシン10は、ストップスイッチ130の操作時における停止図柄及び当該停止図柄から図柄変動方向のリールに配置された４図柄を停止可能な図柄と仮定する。
そして、特定の小役の非共通図柄を有する左リールの図柄配列を、表２に示すように、６図柄毎の間隔で構成することで、特定の小役の当選時の入賞する確率は、表１に示すように、各々「１／３」となる。
【００４２】
上記特定の小役の当選を報知することで、遊技者が入賞可能なタイミングでストップボタン130を操作することにより、入賞確率が高くなる遊技状態をアシストタイムという。
（識別コード管理手段252）
識別コード管理手段252は、自機を識別するための識別コードを、発信元コマンド作成手段251により作成された外部演出コマンドに付加するためのものである。
（次段送信コマンド作成手段253）
次段送信コマンド作成手段253は、外部通信手段240を介して受信した外部演出コマンドに、自機の遊技情報を付加し、次段のスロットマシン10に送信する外部演出コマンドを作成するためのものである。
（接続方法）
つぎに、図２〜３を用いて、上記した構成を備えるスロットマシン10の接続方法について、以下に説明する。
【００４３】
メイン基板110のＯＵＴは、図２に示すように、サブ基板210のＩＮ（外部演出入力端子300）と接続する。
また、メイン基板110のＯＵＴは、演出装置400のＩＮと接続する。サブ基板210のＯＵＴ（外部演出出力端子500）は、図２に示すように、演出装置400のＩＮと接続する。
【００４４】
一方、サブ基板210のＯＵＴ（外部演出出力端子500）は、図３に示すように、隣接するスロットマシン10のサブ基板210ｂのＩＮ（外部演出入力端子300）と接続する。
こうして、図３に示すように、隣接するスロットマシン10のＯＵＴ（外部演出出力端子500）とＩＮ（外部演出入力端子300）とをチェーン状に交合に接続する。
【００４５】
そして、図３に示すように、終端に位置するスロットマシン10のサブ基板210のＯＵＴ（外部演出出力端子500）と、始端に位置するスロットマシン10のサブ基板210のＩＮ（外部演出入力端子300）とを接続することで、複数台のスロットマシン10をループ状に接続する。
（具体例）
つぎに、図４〜１２を用いて、具体例について、以下に説明する。
【００４６】
例えば、１番台〜８番台迄の計８台のスロットマシン10のサブ基板210を、図５に示すように、ループ状に接続する。
例えば、図５の５番台で、ＢＢに当選した場合を例に挙げて、以下に説明する。
図１に示すメイン基板110からサブ基板210に、ＢＢ内部中演出コマンドが送信される。
【００４７】
具体的には、ＢＢ内部中演出コマンドは、図１に示すメイン基板110のコマンド送信手段101から、サブ基板210のコマンド受信手段220に送信される。
サブ基板210は、ＢＢ内部中演出コマンドを受信すると、図１に示すサブ基板210の演出抽選手段230により演出の抽選を行う。
抽選結果により、次のモードを選択している。
【００４８】
（１）ノーマルモード（抽選確率５０％）
（２）ハンターチャンスモード（抽選確率５０％）
なお、モードは、上記した（１）〜（２）に限定されない。
（ノーマルモード）
ノーマルモードでは、自らのスロットマシン10で演出を行っている。
【００４９】
例えば、図６に示すように、５番台の演出ランプ420に、象徴としての「当り」の文字を次第に浮かび上がらせ、確定させる（５秒程度）。
なお、象徴は、「当り」の文字に限定されず、他の文字、絵等でも良い。
また、象徴は、演出ランプ420に限らず、画像表示装置410に表示しても良い。
他の１〜４番台、６〜８番台では、演出を行わない。
（ハンターチャンスモード）
ハンターチャンスモードでは、他のスロットマシン10にコマンドを送信して、演出を行わせている。
【００５０】
具体的には、次の手順で演出を行う。
（手順１）
１〜８番台のうち、１台のスロットマシン10を選択する。
例えば、７番台と仮定し、当該７番台の演出ランプ420に、図７に示すように、「当り」の文字を次第に浮かび上がらせる。
【００５１】
詳細は、次の通りである。
（手順１−１）
５番台のサブ基板210でハンターチャンスモードの選択。
上記選択は、演出抽選手段230により実行される。
（手順１−２）
５番台から６番台に、次のコマンドの送信（図４参照）。
【００５２】
「（ハンターチャンス演出コマンド）＋（７番台の選択コマンド）」
上記７番台の選択コマンドとして、例えば数字の「２」を送信している。
上記コマンドは、５番台のサブ基板210の発信元コマンド作成手段251により作成される。
また、コマンドの送信は、５番台のサブ基板210の外部通信手段240により実行される。
（手順１−３）
６番台で、コマンド受信。
【００５３】
上記受信は、６番台のサブ基板210の外部通信手段240により実行される。
受信した７番台の選択コマンドから、「１」の減算。
その結果、７番台の選択コマンドは、「１」となる。
上記コマンドは、６番台のサブ基板210の次段送信コマンド作成手段253により作成される。
【００５４】
演出決定。
総発信元でないので、６番台から７番台に、次のコマンドの送信。
「（ハンターチャンス演出コマンド）＋（７番台の選択コマンド）」
上記７番台の選択コマンドとして、数字の「１」を送信している。
前記総発信元は、５番台である。
【００５５】
なお、総発信元か否かは、識別コード管理手段252により管理される識別コードにより判定可能である。
（手順１−４）
７番台で、コマンド受信。受信した７番台の選択コマンドから、「１」の減算。
【００５６】
その結果、７番台の選択コマンドは、「０」となる。
演出決定。
７番台の選択コマンドは、「０」であるので、図７に示すように、「当り」の文字を次第に浮かび上がらせる演出を行う。
上記演出は、７番台のサブ基板210の外部演出コマンド処理手段260により実行される。
【００５７】
なお、演出の開始タイミングは、５番台がＢＢ当選から、ランダムなウエイト（０〜３秒程度）後として、総発信元が遊技者からわからないようにしている。
総発信元（５番台）でないので、７番台から８番台に、次のコマンドの送信。
「（ハンターチャンス演出コマンド）＋（７番台の選択コマンド）」
上記７番台の選択コマンドとして、数字の「０」を送信している。
（手順１−５）
８番台で、コマンド受信。
【００５８】
受信した７番台の選択コマンドが「０」であるので、減算処理は行わない。
演出決定。
総発信元（５番台）でないので、８番台から１番台に、次のコマンドの送信。
「（ハンターチャンス演出コマンド）＋（７番台の選択コマンド）」
上記７番台の選択コマンドとして、数字の「０」を送信している。
（手順１−６）
先に説明した手順１−５の処理を、４番台迄、繰り返す。
【００５９】
総発信元（５番台）でないので、４番台から５番台に、次のコマンドの送信。
「（ハンターチャンス演出コマンド）＋（７番台の選択コマンド）」
上記７番台の選択コマンドとして、数字の「０」を送信している。
（手順１−７）
５番台で、コマンド受信。
【００６０】
５番台は、総発信元であるので、演出を決定し、送信せずに処理終了（後述の手順４参照）。
（手順２）
手順１の途中で、１〜８番台の全台に、「ハンターチャンス！」の音声と共に、図８に示す「ハンターチャンス」の文字を表示。
【００６１】
具体的には、１〜８番台のサブ基板210の外部演出コマンド処理手段260により、スピーカ430から「ハンターチャンス！」の音声を発生させる。
同時に、外部演出コマンド処理手段260により、演出ランプ420に、図８に示すように、「ハンターチャンス」の文字を表示させる。
（手順３）
「当り」の文字を、図９〜１０に示すように、７番台から順次、他の台に移動。
【００６２】
詳細は、次の通りである。
（手順３−１）
７番台から８番台に「当り」の文字の表示コマンドの送信。
（手順３−２）
８番台の演出ランプ420に、図９に示すように、「当り」の文字の表示。
【００６３】
８番台から１番台に「当り」の文字の表示コマンドの送信。
（手順３−３）
先に説明した手順３−２の処理を、図１１に示すように、４番台迄、繰り返す。
（手順４）
最終的に５番台で、図１２に示すように、「当り」の文字が停止し、当該台のＢＢが確定。
【００６４】
５番台は、総発信元であるので、送信せずに処理終了。
（フローチャート）
つぎに、図１３〜１４を用いて、遊技の手順をフローチャートにもとづいて、以下に説明する。
まず、図１３に示すように、ステップＳ１０に進み、他のスロットマシンのサブＣＰＵ（演出制御手段200）からコマンドを受信する。
【００６５】
上記受信は、サブＣＰＵ（演出制御手段200）の外部通信手段240により実行される。
上記受信後、図１３に示すように、ステップＳ１０から次のステップＳ１１に進み、コマンドの総発信元か否かを判定している。
上記判定は、サブＣＰＵ（演出制御手段200）の外部演出コマンド処理手段260により実行される。
【００６６】
なお、総発信元か否かは、識別コード管理手段252により管理される識別コードにより判定可能である。
上記判定の結果、総発信元でないと判定した場合には、図１３に示すように、ステップＳ１１から次のステップＳ１２に進み、コマンドに応じた動作処理が行われる。
【００６７】
上記動作処理は、サブＣＰＵ（演出制御手段200）の外部演出コマンド処理手段260により実行される。
上記動作処理後、図１３に示すように、ステップＳ１２から次のステップＳ１３に進み、送信するコマンドが作成される。
上記作成は、サブＣＰＵ（演出制御手段200）の次段送信コマンド作成手段253により行われる。
【００６８】
上記作成後、図１３に示すように、ステップＳ１３から次のステップＳ１４に進み、コマンドが送信される。
上記送信は、サブＣＰＵ（演出制御手段200）の外部通信手段240により実行される。
一方、先に説明したステップＳ１１において、図１４に示すように、総発信元であると判定された場合には、ステップＳ１１から次のステップＳ２０に進み、続けて送信するか否かを判定する。
【００６９】
上記判定は、サブＣＰＵ（演出制御手段200）の外部演出コマンド処理手段260により実行される。
上記判定の結果、続けて送信する場合には、図１４に示すように、ステップＳ２０から次のステップＳ２１に進み、送信するコマンドが作成される。上記作成は、サブＣＰＵ（演出制御手段200）の次段送信コマンド作成手段253により実行される。
【００７０】
上記作成後、図１４に示すように、ステップＳ２１から次のステップＳ２２に進み、コマンドが送信される。
上記送信は、サブＣＰＵ（演出制御手段200）の外部通信手段240により実行される。
一方、先のステップＳ２０において、続けて送信しない場合には、図１４に示すように、次のステップＳ３０に進み、送信を終了する。
（ＡＴプレゼント）
１〜８番台のうち、１台のスロットマシン10において、ＢＢに当選した場合、演出抽選の結果により、「ＡＴ（アシスト・タイム）プレゼント」が選択された場合に、１〜８番台の全台が全てＡＴに突入するようにしても良い。
【００７１】
なお、「ＡＴ（アシスト・タイム）プレゼント」は、全台に限らず、特定の少なくとも１台以上のスロットマシン10を選択するようにしても良い。
【００７２】
【発明の効果】
本発明は、以上のように構成されているので、以下に記載されるような効果を奏する。
（請求項１）
請求項１に記載の発明によれば、次のような効果を奏する。
【００７３】
すなわち、請求項１に記載の発明によれば、複数台のスロットマシンの演出制御手段同士を接続可能とすることで、演出に関する情報を共有することができる。
また、請求項１に記載の発明によれば、外部演出コマンドを他のスロットマシンに送信して、他のスロットマシンで外部演出コマンドを実行することができる。
また、請求項１に記載の発明によれば、外部演出コマンドに発信元の識別コードを付加して送信することができる。
また、請求項１に記載の発明によれば、外部演出入力端子及び外部演出出力端子を備えたスロットマシンを提供することができる。
また、請求項１に記載の発明によれば、複数台のスロットマシンにおいて、演出に関する情報を共有可能なスロットマシンを提供することができる。
【００７４】
（請求項２）
請求項２に記載の発明によれば、上記した請求項１に記載の発明の効果に加え、次のような効果を奏する。
【００７５】
すなわち、請求項２に記載の発明によれば、複数台のスロットマシンの遊技情報を、相互に共有することができる。
（請求項３）
請求項３に記載の発明によれば、上記した請求項１に記載の発明の効果に加え、次のような効果を奏する。
【００７６】
すなわち、請求項３に記載の発明によれば、例えばビッグ・ボーナス、レギュラーボーナス、集中役（例えば高確率遊技）等の特別遊技の内部当たりを演出するための特別遊技内部中演出コマンドを、他のスロットマシンでも共有することができる。
（請求項４）
請求項４に記載の発明によれば、上記した請求項１に記載の発明の効果に加え、次のような効果を奏する。
【００７７】
すなわち、請求項４に記載の発明によれば、アシスト・タイム等の特定の小役の当選を演出するための小役当選演出コマンドを、他のスロットマシンでも共有することができる。
【図面の簡単な説明】
【図１】スロットマシンの概略ブロック図である。
【図２】スロットマシンの概略接続図である。
【図３】複数台のスロットマシンの接続状態を示す説明図である。
【図４】コマンドの送信状態を示す説明図である。
【図５】８台のスロットマシンの接続状態を示す説明図である。
【図６】８台のスロットマシンの演出ランプの表示状態を示す説明図である。
【図７】図６に対応し、７番台の演出ランプの表示状態を示す説明図である。
【図８】図６に対応し、「ハンターチャンス」の表示状態を示す説明図である。
【図９】図６に対応し、８番台の演出ランプの表示状態を示す説明図である。
【図１０】図６に対応し、１番台の演出ランプの表示状態を示す説明図である。
【図１１】図６に対応し、４番台の演出ランプの表示状態を示す説明図である。
【図１２】図６に対応し、５番台の演出ランプの表示状態を示す説明図である。
【図１３】スロットマシンの動作を説明するためのフローチャートである。
【図１４】スロットマシンの動作を説明するための他のフローチャートである。
【符号の説明】
10 スロットマシン 100 遊技制御手段
101 コマンド送信手段 110 メイン基板
120 スタートスイッチ 130 ストップスイッチ
140 リールユニット 150 ホッパーユニット
200 演出制御手段 210 サブ基板
220 コマンド受信手段 230 演出抽選手段
240 外部通信手段 250 外部演出コマンド作成手段
251 発信元コマンド作成手段 252 識別コード管理手段
253 次段送信コマンド作成手段 260 外部演出コマンド処理手段
300 外部演出入力端子 400 演出装置
410 画像表示装置 420 演出ランプ
430 スピーカ 500 外部演出出力端子
【図１】
0004863239.tif 000004
【図２】
0004863239.tif 000005
【図３】
0004863239.tif 000006
【図４】
0004863239.tif 000007
【図５】
0004863239.tif 000008
【図６】
0004863239.tif 000009
【図７】
0004863239.tif 000010
【図８】
0004863239.tif 000011
【図９】
0004863239.tif 000012
【図１０】
0004863239.tif 000013
【図１１】
0004863239.tif 000014
【図１２】
0004863239.tif 000015
【図１３】
0004863239.tif 000016
【図１４】
0004863239.tif 000017